(57)【特許請求の範囲】
【請求項１】
内視鏡の処置具挿入口に着脱自在に取り付けられてそこを通過する処置具を締め付ける径の小孔が弾力性のある材料からなる閉鎖膜に形成された内視鏡用鉗子栓の上記小孔部分からの漏れを検出するための内視鏡用鉗子栓の漏れ検出アダプタであって、
上記鉗子栓の入口側から上記小孔に挿脱自在な棒材と、上記棒材の基端側に取り付けられて上記棒材が上記小孔に挿入されることにより上記鉗子栓の外表面に当接して上記鉗子栓に対する上記棒材のそれ以上の挿入を規制するストッパとが設けられ、
上記ストッパには、上記鉗子栓の入口に臨む内側部分と周囲の外気に臨む外側部分とを連通させる通気部が形成されて、
上記棒材の上記小孔の裏側に達する部分には、上記小孔からの抜け出しを規制する太径部が形成され、
上記鉗子栓に対する上記棒材の挿入が上記ストッパにより規制された状態においては、上記小孔が上記棒材を弾力的に締め付けた状態になると共に、上記ストッパが上記鉗子栓内と外部との連通を妨げないことを特徴とする内視鏡用鉗子栓の漏れ検出アダプタ。
【請求項２】
上記小孔の断面形状と上記棒材の断面形状が共に円形であり、上記棒材の径が上記小孔の径より大きい請求項１記載の内視鏡用鉗子栓の漏れ検出アダプタ。
【請求項３】
上記棒材が上記ストッパに対して着脱自在であり、あい異なる形状に形成された複数の棒材を選択して上記ストッパに取り付けることができる請求項１又は２記載の内視鏡用鉗子栓の漏れ検出アダプタ。
【発明の詳細な説明】
【０００１】
【発明の属する技術分野】
この発明は、内視鏡用鉗子栓の閉鎖膜からの漏れを検出するための内視鏡用鉗子栓の漏れ検出装置に関する。
【０００２】
【従来の技術】
内視鏡には一般に、処置具類を挿通するための処置具挿通チャンネルが設けられていて、その入口である処置具挿入口には、体内の汚液等が処置具挿通チャンネルを通って、噴出するのを防止するための鉗子栓が取り付けられている。
【０００３】
そのような鉗子栓は、一般に、基端側が内視鏡の処置具挿入口に着脱自在に取り付けられ、弾力性のある材料からなる閉鎖膜に形成されて通常は閉じた状態にあるスリットが、処置具挿入口に挿入される処置具によって押し開かれるようになっている。
【０００４】
また、処置具が通された状態での漏れを防止するために、処置具のシースを弾力的に締め付ける径の小孔がもう一つの閉鎖膜に形成されて配置されている。
【０００５】
【発明が解決しようとする課題】
そのような閉鎖膜に形成された小孔は、処置具挿入が繰り返されることによって磨耗あるいは変形して密閉性が低下する。そのため、体内の汚液等が処置具挿通チャンネルを通って漏れ出し、周辺を汚染してしまう場合がある。
【０００６】
そこで本発明は、鉗子栓の閉鎖膜に形成された小孔からの漏れ発生を事前に検出して、体内の汚液等が処置具挿通チャンネルを通って漏れ出すことを未然に防止することができる内視鏡用鉗子栓の漏れ検出装置を提供することを目的とする。
【０００７】
【課題を解決するための手段】
上記の目的を達成するため、本発明の内視鏡用鉗子栓の漏れ検出装置は、内視鏡の処置具挿入口に着脱自在に取り付けられてそこを通過する処置具を締め付ける径の小孔が弾力性のある材料からなる閉鎖膜に形成された内視鏡用鉗子栓の小孔部分からの漏れを検出するための内視鏡用鉗子栓の漏れ検出装置であって、鉗子栓の入口側から小孔に挿脱自在な棒材と、棒材が小孔に挿入された状態において鉗子栓に対する棒材のそれ以上の挿入を規制するストッパとが設けられ、鉗子栓に対する棒材の挿入がストッパにより規制された状態においては、小孔が棒材を弾力的に締め付けた状態になると共に、ストッパが鉗子栓内と外部との連通を妨げないようにしたものである。
【０００８】
なお、小孔の断面形状と棒材の断面形状が共に円形であり、棒材の径が小孔の径より大きいとよく、棒材の小孔の裏側に達する部分に、小孔からの抜け出しを規制する太径部が形成されていてもよい。
【０００９】
また、棒材がストッパに対して着脱自在であり、あい異なる形状に形成された複数の棒材を選択してストッパに取り付けることができるようにしてもよい。
【００１０】
【発明の実施の形態】
図面を参照して本発明の実施例を説明する。
図７は、内視鏡１００の処置具挿入口１０２部分に基端部が着脱自在に取り付けられる内視鏡用鉗子栓１１０の一例を示している。
【００１１】
処置具挿入口１０２は、処置具挿通チャンネル１０１の入口であり、この実施例ではいわゆるルアーロック式注射針の口金状に形成されて、内視鏡１００の操作部に突設されている。
【００１２】
鉗子栓１１０は全体が弾力性のあるゴム材によって形成されていて、処置具挿入口１０２に取り付けられる樽状部１１１と、その樽状部１１１の入口部分に着脱自在な蓋状部１１２とからなる。蓋状部１１２は、基端が処置具挿入口１０２に取り付けられるつなぎ部１１３の先端に形成されている。
【００１３】
樽状部１１１の内部に形成された閉鎖膜１１４の中央には、処置具挿入口１０２に対向するように円形の小孔１１５が形成され、蓋状部１１２の内部に形成された閉鎖膜１１６の中央には、−状のスリット１１７が形成されている。小孔１１５は挿通される処置具のシースの径より小さな径に形成され、スリット１１７はシースの直径より長く形成されている。
【００１４】
このような構成により、通常は閉じた状態にあるスリット１１７が処置具挿入口１０２に挿入される処置具（図示せず）によって押し開かれ、小孔１１５は、挿通される処置具のシースを弾力的に締め付けるようにシースの外面に密着して、処置具挿通時の漏れ防止に寄与する。
【００１５】
図２は、鉗子栓１１０の漏れを検出する装置を示しており、鉗子栓１１０の基端側に気密に接続自在な対鉗子栓接続部材２と、加圧気体を送り出す送気装置５０の送気口金５１に気密に接続される対送気装置接続部材２との間が、可撓性チューブ３等により連通接続されている。
【００１６】
対鉗子栓接続部材２は、例えば内視鏡１００の処置具挿入口１０２と同形状のもの等であればよく、可撓性チューブ３は四フッ化エチレン樹脂チューブ又はシリコンチューブ等によって形成される。
【００１７】
送気装置５０は、鉗子栓１１０の漏れ検査に適した圧力の加圧気体を送出するものであれば何でもよく、内視鏡用光源装置に組み込まれている送気装置をそのまま利用することができる。
【００１８】
２０は、鉗子栓１１０の小孔１１５と処置具のシースとの間からの漏れを検出するために漏れ検査時に鉗子栓１１０に差し込まれる漏れ検出アダプタであり、図３に側面断面が拡大図示され、図１には鉗子栓１１０に差し込まれた状態が図示されている。
【００１９】
漏れ検出アダプタ２０は、鉗子栓１１０の入口側から小孔１１５に挿脱自在な小孔挿入棒材２２（棒材）と、その小孔挿入棒材２２が小孔１１５に挿入された状態において鉗子栓１１０の表面に当接して、鉗子栓１１０に対する小孔挿入棒材２２のそれ以上の挿入を規制するキャップ状部材２１（把持部兼ストッパ）とによって形成されている。
【００２０】
小孔挿入棒材２２は、その鉗子栓１１０に挿通される処置具のシースの径（標準径）と同じ径の円形断面に形成されており、キャップ状部材２１が鉗子栓１１０の表面に当接した状態において、小孔挿入棒材２２が小孔１１５を弾力的に押し広げて、小孔１１５が小孔挿入棒材２２を締め付けた状態になる。
【００２１】
したがって、小孔１１５に磨耗や変形がなければ小孔挿入棒材２２の外周面と小孔１１５とは全面でよく密着する。一方、スリット１１７は、小孔挿入棒材２２が差し込まれることにより、弾力的に押し広げられて周辺部分が開いたままの状態になる。
【００２２】
また、小孔１１５が形成されている閉鎖膜１１４を境界とする内外圧力差（内圧＞外圧）等により、意に反して小孔挿入棒材２２が小孔１１５から抜け出す恐れがある。
【００２３】
そこで、小孔挿入棒材２２の先端には、小孔挿入棒材２２より大きな径の球状の抜け止め部２２ｂが形成されていて、小孔１１５の裏側縁部に軽く引っ掛かるようになっている。ただし、少し大きな力を加えれば、抜け止め部２２ｂも小孔１１５を通過する。
【００２４】
キャップ状部材２１には、図４の正面図にも示されるように、側面壁と端面壁に各々複数の通気部２３が形成されていて、鉗子栓１１０内と外部との連通をキャップ状部材２１が妨げないようになっている。
【００２５】
小孔挿入棒材２２の基端部分の外周には雄ネジ２２ａが形成されていて、キャップ状部材２１の中心位置に形成されている雌ネジ２１ａと係脱自在に螺合している。
【００２６】
したがって、その螺合を緩めれば小孔挿入棒材２２はキャップ状部材２１に対して変換自在であり、図５に示されるように、太さが相違する複数の小孔挿入棒材２２Ａ，２２Ｂを準備しておき、検査対象となる鉗子栓１１０に対応して適当な小孔挿入棒材２２を取り付け使用することができる。
【００２７】
また、図６に示されるように、漏れ検出アダプタ２０を鎖３０又は紐等によって漏れ検出装置の可撓性チューブ３等と連結しておけば、漏れ検出アダプタ２０が行方不明になったりせず管理上便利である。鎖３０の両端はいわゆるダブルリング等のようなリング状部材３１によって相手方に係合させればよい。
【００２８】
漏れ検出アダプタ２０そのものだけでなく漏れ検出装置の取り扱い説明書４０や他の寸法形状の漏れ検出アダプタ等も同様にして鎖３０を介して内視鏡用鉗子栓の漏れ検出装置に連結してもよく、その場合には、取り扱い説明書４０を連結する鎖３０を他の鎖より短くして、取り扱い説明書４０が邪魔にならないようにするとよい。
【００２９】
このような構成により、対送気装置接続部材１を送気装置５０に接続して、漏れ検出アダプタ２０が差し込まれた鉗子栓１１０に対鉗子栓接続部材２接続し、鉗子栓１１０を水中に漬けて送気装置５０の送気動作をオンにすると、小孔挿入棒材２２と小孔１１５との間の閉鎖状態が不完全なときは小孔１１５を通る空気が泡となって観察され、漏れ検出を行うことができる。なお、加圧空気に変えて加圧水を通して大気中で漏れ検査を行ってもよい。
【００３０】
なお、漏れ検出装置の各部に用いられる部材の材料は、オートクレーブ滅菌やＥＯＧガス滅菌等に耐えられるように、チューブ類には前出の通り四フッ化エチレン樹脂やシリコン樹脂等を用い、その他の構造材としては、ポリサルホン樹脂、ステンレス鋼、又は防錆処理された金属等を用いるとよい。
【００３１】
【発明の効果】
本発明によれば、棒材を鉗子栓に差し込むことによって鉗子栓の閉鎖膜に形成された小孔が棒材を弾力的に締め付ける状態になるので、そこに流体を通すことにより、閉鎖膜に形成された小孔部分からの漏れ発生を事前に検出して、体内の汚液等が処置具挿通チャンネルを通って漏れ出すことを未然に防止することができる。
【図面の簡単な説明】
【図１】本発明の実施例の漏れ検出アダプタが鉗子栓に差し込まれた状態の側面断面図である。
【図２】本発明の実施例の内視鏡用鉗子栓の漏れ検出装置の全体構成の略示図である。
【図３】本発明の実施例の漏れ検出アダプタの側面断面図である。
【図４】本発明の実施例の漏れ検出アダプタの正面図である。
【図５】本発明の実施例の小孔挿入棒材の側面図である。
【図６】本発明の実施例の漏れ検出アダプタが内視鏡用鉗子栓の漏れ検出装置に連結された状態の側面一部断面図である。
【図７】本発明による漏れ検出の対象となる鉗子栓の一例の側面断面図である。
【符号の説明】
１  対送気装置接続部材
２  対鉗子栓接続部材
３  可撓性チューブ
２０  漏れ検出アダプタ
２１  キャップ状部材
２２  小孔挿入棒材
２２ｂ  抜け止め部
２３  通気部
３０  鎖
４０  取り扱い説明書
５０  送気装置
１０２  処置具挿入口
１１０  鉗子栓
１１４  閉鎖膜
１１５  小孔
【図１】
0004495306.tif 000002
【図２】
0004495306.tif 000003
【図３】
0004495306.tif 000004
【図４】
0004495306.tif 000005
【図５】
0004495306.tif 000006
【図６】
0004495306.tif 000007
【図７】
0004495306.tif 000008